(57)【特許請求の範囲】
【請求項１】
望ましいオーディオコンテンツを受信するよう結合されたボイスコイルオーディオ信号プロセッサであって、オーディオ信号処理チェーンを含み、合成されたオーディオ信号を生成するために、その出力信号がアクティブなノイズ打ち消しブロックにより発生された反ノイズ信号と合成されるようなボイスコイルオーディオ信号プロセッサと、
前記望ましいオーディオコンテンツを含むが、前記反ノイズ信号は含まないテレコイル信号を発生させるために、前記望ましいオーディオコンテンツを受信し、前記反ノイズ信号は受信しないように結合されたテレコイルオーディオ信号プロセッサであって、前記ボイスコイルオーディオ信号プロセッサと別個である、テレコイルオーディオ信号プロセッサと、
ボリューム設定にしたがって前記合成されたオーディオ信号を増幅するために、前記ボイスコイルオーディオ信号プロセッサの出力に結合された入力を有するボイスコイル増幅器と、
前記ボイスコイル増幅器の出力に結合されたスピーカと、
テレコイル結合強度設定にしたがって前記テレコイル信号を増幅するために、前記テレコイルオーディオ信号プロセッサの出力に接続された入力を含むテレコイル増幅器であって、前記ボイスコイル増幅器とは別個であるテレコイル増幅器と、
前記テレコイル増幅器の出力に結合されたテレコイルと、
を備えたポータブルオーディオ装置。
【請求項２】
前記望ましいオーディオコンテンツは、遠方端ユーザのダウンリンクスピーチを含み、前記ポータブルオーディオ装置は、更に、ワイヤレスベースステーションからダウンリンクスピーチを受信するワイヤレス通信回路を含む、請求項１に記載のポータブルオーディオ装置。
【請求項３】
前記ボイスコイルオーディオ信号プロセッサの出力信号を受信するボイスコイルデジタル／アナログコンバータ（ＤＡＣ）と、
前記テレコイルオーディオ信号プロセッサの出力信号を受信するテレコイルＤＡＣと、を更に備えた請求項１に記載のポータブルオーディオ装置。
【請求項４】
前記ボイスコイルオーディオ信号プロセッサのオーディオ信号処理チェーンは、スピーカと人間ユーザの耳との間の音響結合を向上させるように周波数応答が設計されたイコライゼーションブロックを備え、そして前記テレコイルオーディオ信号プロセッサは、補聴器Ｔコイルとテレコイルの誘導性結合を向上させるように周波数応答が設計されたイコライゼーションブロックを備えている、請求項１に記載のポータブルオーディオ装置。
【請求項５】
前記テレコイル増幅器は、前記スピーカにより発生される磁界信号より強い磁界信号を前記テレコイルにより発生するために選択されたテレコイル結合強度を表わす可変利得でプログラムすることができる、請求項１に記載のポータブルオーディオ装置。
【請求項６】
反ノイズ信号と合成される望ましいオーディオ信号を可聴形態へ変換する一方、副産物磁界信号を発生するボイスコイルを有するイヤピーススピーカと、
望ましいオーディオ信号を、補聴器のテレコイルに結合するために一次磁界信号へ変換するが、反ノイズ信号は変換しないように結合された補聴器適合回路であって、前記ボイスコイルにより発生される前記副産物磁界信号より強い一次磁界信号を発生する補聴器適合回路と、を備え、
前記一次磁界信号及び前記副産物磁界信号は同時に発生される、ことを特徴とするポータブルオーディオ装置。
【請求項７】
前記補聴器適合回路は、
前記望ましいオーディオ信号を受信するデジタルイコライゼーションブロックと、
前記イコライゼーションブロックの出力に結合されたデジタル／アナログコンバータ（ＤＡＣ）と、
前記ＤＡＣの出力に結合された増幅器と、
前記増幅器の出力に結合された補聴器適合放射器と、
を備えた請求項６に記載のポータブルオーディオ装置。
【請求項８】
前記増幅器は、その制御入力が補聴器Ｔコイルとの誘導性結合の強度を表わす値を受信する可変増幅器である、請求項７に記載のポータブルオーディオ装置。
【請求項９】
前記補聴器適合回路は、前記ポータブルオーディオ装置のハウジング内でイヤピーススピーカに隣接して位置されたテレコイルを含む、請求項６に記載のポータブルオーディオ装置。
【請求項１０】
前記ポータブルオーディオ装置のユーザを取り巻く背景音響ノイズを打ち消すための反ノイズ信号を発生するアクティブなノイズ打ち消し回路を更に備えた、請求項６に記載のポータブルオーディオ装置。
【請求項１１】
前記イコライゼーションブロックは、前記望ましいオーディオ信号のスペクトルコンテンツを補聴器のテレコイルとの誘導性結合に適するように整形し、前記ポータブルオーディオ装置は、前記イヤピーススピーカに供給される前記望ましいオーディオ信号のスペクトルコンテンツを補聴器のマイクロホンとの誘導性結合に適するように整形するイコライゼーションブロックを更に備えた、請求項７に記載のポータブルオーディオ装置。
【請求項１２】
ワイヤレスベースステーションからの前記望ましいオーディオ信号をダウンリンクオーディオ信号の一部分として受信する移動電話ネットワーク通信回路を更に備えた、請求項６に記載のポータブルオーディオ装置。
【請求項１３】
望ましいオーディオ信号を受信する段階と、
反ノイズ信号を発生する段階と、
テレコイルチャンネルを介して、前記望ましいオーディオ信号を一次磁界へ変換するが、前記反ノイズ信号は変換しない段階と、
ボイスコイルチャンネルを介して、前記望ましいオーディオ信号及び前記反ノイズ信号を音響形態へ変換する段階であって、その音響変換で前記一次磁界より弱い二次磁界を発生し、前記テレコイルチャンネル及びボイスコイルチャンネルは別個であり、前記一次磁界及び二次磁界は同時に発生される、段階と、
を備えたポータブルオーディオ装置における方法。
【請求項１４】
前記望ましいオーディオ信号を、前記一次磁界へ変換する前に、前記二次磁界信号より強い前記一次磁界信号を発生するよう意図された利得設定に基づいて、増幅する段階を更に備えた、請求項１３に記載の方法。
【発明の詳細な説明】
【技術分野】
【０００１】
本発明は、ボイスコイルチャンネル及び個別増幅テレコイルチャンネルをもつオーディオ装置に関する。
【背景技術】
【０００２】
補聴器は、典型的に、聴力損失に罹った者によって着用され、局部的な音場を増幅することにより聴覚障害を補償することができる。補聴器は、マイクロホン（音響）モード又はテレコイル（誘導）モードのいずれかで動作する。マイクロホンモードでは、補聴器に一体化されたマイクロホンに入射する音波が電気的オーディオ信号に変換される。テレコイルモードでは、補聴器内部にある誘導コイル（テレコイル又はＴコイルとも称される）が、近傍の電話ハンドセットの受信器又は専用コイルにより変調された局部磁界をピックアップする。両モードにおいて、ピックアップされて生じた電気的オーディオ信号は、その後、処理され、増幅され、そしてユーザにより聞き取れる音声に変換される（補聴器内の小さなスピーカにより）。
【０００３】
補聴器は、移動電話のようなポータブル通信装置と共に常時良好に機能するものではない。補聴器を着用しそして移動電話を有する者が経験する１つの問題は、補聴器内のマイクロホンが、移動電話の受信器から到来する望ましいスピーチに加えて、周囲の背景環境からの望ましからぬ周囲音響ノイズをピックアップし得ることである。これは、ユーザが望ましいスピーチを聞き分けにくくする。しかしながら、補聴器をＴコイルモードに切り換えると、補聴器のマイクロホンがデアクチベートされ、そしてＴコイルが、局部的磁界を経て、移動電話の受信器のボイスコイルに誘導性結合される。従って、Ｔコイルがピックアップとして使用されるときには、環境又は背景音響ノイズが補聴器によって増幅されない。補聴器適合（ＨＡＣ）移動電話がより一般的に大衆に利用されるようになった。典型的な音響受信器に加えて、ＨＡＣ電話は、近傍の補聴器のＴコイルに誘導性結合するように特別に設計された、テレコイル又はＴコイルとも称される、ワイヤのループのような個別の磁界放射器も備えている。従って、そのような電話は、補聴器のマイクロホン及びそのＴコイルの両方に適合する。これらの移動電話は、ユーザがＨＡＣ動作モードを手動で選択できるようにするスイッチを備えている。その動作モードにおいて、望ましいオーディオ信号に適用されるオーディオ信号処理は、オーディオ信号処理チェーンの周波数応答を変えて、補聴器のマイクロホンを良好に受け容れるように変更される。ＨＡＣモードが選択されたときになされる別の変更は、受信器のボイスコイルを駆動するために印加される望ましいオーディオ信号が、移動電話内のテレコイルも駆動できるようにすることである。
【発明の概要】
【発明が解決しようとする課題】
【０００４】
幾つかの移動電話は、移動電話のユーザに聞こえる音響背景ノイズを減少し又は打ち消す上で助けとなるように、デジタルオーディオ信号処理技術を使用して典型的に具現化されるアクティブノイズ打ち消し（ＡＮＣ）ブロックを収容している。このＡＮＣブロックは、反ノイズ(anti-noise)信号と称されるものを発生することにより音響背景ノイズを打ち消すように試みる。反ノイズ信号は、望ましいオーディオコンテンツと合成され、次いで、その合成された信号で受信器のボイスコイルが駆動される。その目標は、ユーザに聞こえる音響背景ノイズを理論的に打ち消す反ノイズ音響信号を受信器が発生することである。この技術は、ノイズ打ち消しヘッドホンにも使用される。
【課題を解決するための手段】
【０００５】
本発明の一実施形態は、望ましいオーディオ信号が反ノイズ信号と合成されるポータブルオーディオ装置である。イヤホンスピーカのボイスコイルは、合成された信号を可聴形態に変換しながら、副産物の磁界信号を発生するように結合される。テレコイルは、オーディオ信号を一次磁界信号に変換するが、反ノイズ信号は変換しないように結合される。一次磁界信号は、装置のユーザにより着用される補聴器のテレコイルと誘導的に結合するように設計される。一次磁界信号は、ボイスコイルにより発生される副産物磁界信号より強力である。これは、適度に高いテレコイル結合強度をテレコイル増幅器の利得としてセットすることにより達成される。ボイスコイルチャンネルをテレコイルチャンネルからこのように分離することで、テレコイルチャンネルにより発生される一次磁界信号（この信号は、望ましいオーディオコンテンツを含むが、反ノイズは含まない）が、ボイスコイルチャンネルにより発生される副産物磁界信号（この信号は、反ノイズを含む）を本質的に「消す(drown out)」ことができるようにする。従って、ポータブル装置は、望ましいオーディオコンテンツを音響的に発生すると同時に、望ましい反ノイズを音響結合のために発生し（例えば、スマートホンがハンドセット動作モードにおいてユーザの耳に対して保持されたとき）、しかも、同時に、Ｔコイルモードで動作している補聴器に反ノイズを不必要に誘導性結合するのを回避することができる。
【０００６】
以上の概要は、本発明のあらゆる態様を余すところなく列挙するものではない。本発明は、上述した種々の態様の全ての適当な組み合わせから実施でき且つ以下の詳細な説明に開示され及び特許請求の範囲に指摘された全てのシステム及び方法を包含することが意図される。そのような組み合わせは、前記概要に特に述べなかった特定の効果を発揮する。
【０００７】
本発明の実施形態は、同様の要素を同じ参照番号で示す添付図面に一例として示されるが、それに限定されるものではない。この開示において「一実施形態」又は「１つの実施形態」とは、必ずしも同じ実施形態ではなく、少なくとも１つを意味することに注意されたい。
【図面の簡単な説明】
【０００８】
【図１】聴覚障害のあるユーザが規範的なポータブルオーディオ装置を手で保持しているところを示す。
【図２】聴覚障害のあるユーザが規範的なポータブルオーディオ装置を、補聴器が位置する耳に押し付けているところを示す。
【図３】ボイスコイルオーディオチャンネル及び個別のテレコイルオーディオチャンネルを含むポータブルオーディオ装置の一部分を示すブロック図である。
【図４】スマートホンである規範的なポータブルオーディオ装置の幾つかの構成要素を示すブロック図である。
【発明を実施するための形態】
【０００９】
以下、添付図面を参照して本発明の幾つかの実施形態を説明する。それら実施形態で述べる部品の形状、相対的位置及び他の観点が明確に定義されないときには、本発明の範囲が、図示された部品のみに限定されず、単なる例示に過ぎないことを意味する。又、多数の細部について述べるが、本発明の幾つかの態様は、それらの細部がなくても実施されることを理解されたい。他の点については、この説明の理解を不明瞭にしないために、良く知られた回路、構造及び技術は、詳細に示さない。
【００１０】
図１は、聴覚障害のあるユーザ２が規範的なポータブルオーディオ装置１を手で保持しているところを示す。ユーザ２は、Ｔコイル８を含む補聴器６を耳３に着用している。補聴器６は、内蔵マイクロホン（図示せず）を使用して局部的音波をピックアップする音響結合モードで動作するか、又は局部的磁界波及びＴコイル８によりオーディオピックアップがなされる誘導性結合モードで動作するものである。アナログ的には、ポータブルオーディオ装置１は、望ましいオーディオ信号を音波へ変換するスピーカ５と、望ましいオーディオ信号を磁界波へ変換する補聴器適合（ＨＡＣ）放射器７とを有している。この特定例では、ポータブルオーディオ装置１は、ユーザ２の音声をピックアップするためにハンドセットのハウジングに一体化されたマイクロホン４も有するスマートホンであり、これにより、ユーザは、例えば、セルラー地上無線アクセスネットワーク、衛星通信ネットワーク又はワイヤレスローカルエリアネットワークのような移動電話通信ネットワーク（図示せず）を経て、遠方端ユーザとの両方向リアルタイム又はライブボイス通信セッション（電話コール又はビデオコールとも称される）に参加することができる。図２は、遠方端ユーザの音声が良く聞こえるように、ユーザ２が、ポータブルオーディオ装置１、特に、スピーカ５の音響部分を耳３に押し付けているところを示す。
【００１１】
図３は、例えば、コール中に、入力された望ましいオーディオコンテンツに対して並列に又は同時に動作する個別のボイスコイルオーディオ及びテレコイルオーディオチャンネルを描いたポータブルオーディオ装置１の当該部分のブロック図である。１つの実施形態において、図３に示す全てのコンポーネントは、ポータブルオーディオ装置１の単一のハウジング（例えば、スマートホンのハウジング）内に一体化される。或いは又、スピーカ５及び／又はＨＡＣ放射器７は、ほとんどの他のコンポーネントを収容するハウジングの外部にあってもよいし、ケーブル又はワイヤリンクによって他のコンポーネントに通信接続されてもよい。明らかなように、望ましいオーディオコンテンツは、２つの個別のチャンネルに同時に送られ、その一方は、ボイスコイルオーディオ信号プロセッサ１０を有するものであり、そしてその他方は、テレコイルオーディオ信号プロセッサ１１を有するものである。
【００１２】
信号プロセッサ１０、１１の各々への入力は、オーディオ信号処理チェーン１６、１７を含み、それらは、ほとんどのケースでは、ソフトウェアプログラムデータ処理要素の形態の１つ以上のデジタル信号処理ブロック（１つ以上のマイクロプロセッサ）として又はハードウェアロジックとして具現化される。例えば、両方の信号プロセッサ１１は、必要なデジタル信号処理機能を遂行するように適当にプログラムされた同じハードウェアマイクロプロセッサを使用して具現化される。これらのファンクション又はブロックは、従来のフィルタリング又は信号改善動作、例えば、自動利得制御、ノイズ減少、サイドトーン混合（電話装置の場合）、及びイコライゼーションを含む。望ましいオーディオコンテンツに動作が適用される順序は、典型的にそのようなオーディオ処理段階が直線的な動作であるので重要ではないが、あるケースでは、特定の順序が指定される制限、比較及び拡張のような非直線的動作も具現化される。
【００１３】
オーディオ信号プロセッサ１０、１１の出力信号は、それらの各デジタル／アナログコンバータ（ＤＡＣ）１２、１３に供給される。これは、ほとんどのオーディオ信号処理がアナログ形態ではなくてデジタルドメインにおいて遂行されるポータブル消費者向け電子オーディオ装置の現在普及した具現化と一貫している。しかしながら、プロセッサ１０、１１の幾つかのオーディオ信号処理ファンクションをアナログドメインにおいて具現化することができる。アナログ形態へ変換された後、オーディオ信号は、それらの各電力増幅器１４、１５へ供給される。ボイスコイル電力増幅器１４は、従来の技術（例えば、装置１のハウジングの外部に露出された機械的なボリュームスイッチ及びボタン）を通してユーザ２により手動でセットされるボリューム設定を受け取る可変増幅器である。テレコイル増幅器１５は、可変でもよいしそうでなくてもよい。これは、テレコイル結合強度設定（可変でもよい）を受け取り、そして例えば、装置１で実行されるソフトウェアプロセスにより、例えば、電話アプリケーションプログラム２８（図４を参照）の一部分として自動的にセットされる。又、設定は、ユーザにより手動でセットすることもできる（例えば、可変であって調整可能なボリューム設定に固定される）。或いは又、設定は、予想される補聴器及びボリューム設定でのテストに基づいて工場で固定することもできる。テレコム増幅器１５の出力は、ＨＡＣ放射器７を駆動するように結合され、一方、ボイスコイル増幅器１４の出力は、スピーカ５を駆動するように結合される。ほとんどのケースでは、スピーカ５は、移動電話ハンドセットの受信器又はハンドセットのイヤホン（図示せず）のようなイヤピーススピーカである。ほとんどの場合には、ＨＡＣ放射器７は、装置１の同じハウジング内でスピーカ５に隣接して一体化され、そして近傍の補聴器Ｔコイルとの改善された誘導性結合を得るように適当に方向付けされる（もし可能であれば）。
【００１４】
補聴器との互換性を向上させるため、テレコイル増幅器１５は、ＨＡＣ放射器７により発生される強い磁界信号を生じさせるテレコイル結合強度を表わす利得設定をもたねばならず、その強い磁界信号は、スピーカ５のボイスコイルにより同時に発生される磁界信号より強いものである。換言すれば、望ましいオーディオコンテンツが各チャンネルにより処理され、ボイスコイルチャンネルは音声を発生しそしてＨＡＣ放射器７は磁界波を発生する（両方とも望ましいオーディオを含む）が、ＨＡＣ放射器７により発生される磁界波の強度は、スピーカ５のボイスコイルにより発生される「副産物」磁界の強度より大きくて、副産物磁界が、ＨＡＣ放射器７により発生される「一次」磁界波により本質的に消されるようにしなければならない。後者は、もちろん、ユーザ２が着用する近傍の補聴器の対応Ｔコイルとの誘導性結合に使用される。
【００１５】
一次磁界をより強くする目的は、（ボイスコイルチャンネルにより発生される）副産物磁界に存在する「反ノイズ」をマスクすることである。実際に、移動電話のようなあるポータブルオーディオ装置には、アクティブなノイズ打ち消し（ＡＮＣ）ブロック１９が存在し（図３を参照）、これは、いわゆる基準マイクロホン１８によりピックアップされた背景音響を使用して、いわゆる反ノイズ信号を発生し、そしてエラーマイクロホン２０を使用して、ユーザの耳の音響をピックアップする。ＡＮＣブロック１９は、ユーザ２に聞こえる望ましからぬ音響（典型的に背景音響）を減少するように働く。これは、オリジナルの望ましからぬ（背景）音響に対して逆位相又は反位相を有するようにされた音響圧力波を、スピーカ５を通して、生成することにより行う。従って、反ノイズ及び背景音響を干渉的に合成して、互いに効果的に打ち消し合うようにしなければならない。もちろん、実際の状況では、背景音響が結果的に完全に打ち消されないことがあるが、ユーザの耳に聞こえないように弱いものとなる。反ノイズ信号は、ボイスチャンネルのオーディオ信号処理チェーン１６の出力と合成され又は混合されるが、テレコイルチャンネルでは、そのようにならない。従って、ボイスチャンネルは、望ましいオーディオを音響形態で発生するだけでなく、ユーザ２の周囲の背景音響ノイズを打ち消すように意図されたという点で望ましい音響反ノイズも発生する。しかしながら、図示されたように、反ノイズ信号は、テレコイルチャンネルからは生じないことに特に注意されたい。
【００１６】
更に、図３を参照し、ここに示す本発明の実施形態を以下に説明する。イヤピーススピーカ（受信器のような）であるスピーカ５は、ボイスコイル（図示せず）を有し、可聴形態への変換を行う一方、望ましいオーディオ信号である副産物磁界信号を発生する。望ましいオーディオコンテンツは、遠方端ユーザのダウンリンクスピーチである。望ましいオーディオ信号は、反ノイズ信号と合成され（この場合には、ボイスコイルオーディオ信号プロセッサ１０内でデジタル的に）、副産物磁界も反ノイズを含むようにする。この反ノイズが近傍の補聴器のＴコイルによりピックアップされて音響へと変換される場合には、補聴器ユーザには、望ましいオーディオコンテンツが明確に聞こえないことがある。
【００１７】
補聴器ユーザに、補聴器Ｔコイルによりピックアップされた望ましいオーディオコンテンツが明確に聞こえるようにするために、スピーカのボイスコイルの副産物磁界は、次のようにマスクされる。補聴器適合回路は、反ノイズではなくて、望ましいオーディオを、一次磁界信号へと変換し、補聴器のＴコイル（図示せず）に結合させる。図３に示すように、補聴器適合回路は、望ましいオーディオ信号を受信するテレコイルイコライゼーションブロック（オーディオ信号処理チャンネル１７内の）と、そのイコライゼーションブロックの出力に結合されたＤＡＣ１３と、そのＤＡＣ１３の出力に結合されたテレコイル増幅器１５と、その増幅器の出力に結合されたＨＡＣ放射器７とを備えている。ＨＡＣ放射器７をこのように駆動すると、スピーカ５のボイスコイルにより同時に発生される副産物磁界信号より強力な一次磁界信号が発生される。このように、副産物磁界信号に現れる反ノイズは、それより強い一次磁界（望ましいオーディオコンテンツを含む）によって消される。一次磁界の充分な強度を補償するために、補聴器Ｔコイルとの誘導性結合の強度を表わすテレコイル結合強度値は、テレコイル増幅器１５の対応利得をセットするために、充分高くセットされねばならない。ほとんどの場合に、ＨＡＣ放射器７（テレコイルとも称される）は、スピーカ５の副産物磁界を消す機会を更に向上させるために、ポータブルオーディオ装置１のハウジング内でスピーカ５に隣接して位置される。
【００１８】
Ｔコイルモードで動作する補聴器に合致するための更なる改善は、ＨＡＣ放射器７及び補聴器Ｔコイルの誘導性結合を向上させるように設計された周波数応答をもつように（テレコイルオーディオ信号プロセッサ１１内の）テレコイルイコライゼーションブロックを設計することである。これは、スピーカ５とユーザの耳との間の音響結合を向上させるように周波数応答を設計しなければならないボイスコイルオーディオ信号プロセッサ１０内のイコライゼーションブロックと対照的である。換言すれば、ボイスコイルイコライゼーションは、望ましいオーディオ信号のスペクトルコンテンツを（スピーカ５を経て）補聴器のマイクロホンとの音響結合に適するように整形するが、テレコイルイコライゼーションブロックは、（並列チャンネル）の望ましいオーディオ信号のスペクトルコンテンツを（ＨＡＣ放射器７を経て）補聴器コイルとの誘導性結合に適するように整形する。
【００１９】
図４を参照すれば、スマートホンである規範的ポータブルオーディオ装置１の幾つかの構成要素のブロック図である。スマートホンは、アップル社によるｉＰｈｏｎｅTM装置である。スマートホンは、中央処理ユニットであるデータプロセッサ２０と、オペレーティングシステム及びアプリケーションプログラムを実行するアプリケーションプロセッサ又はシステムオンチップ（ＳｏＣ）、例えば、デジタルメディアファイルプレーヤ及び電話アプリケーション２８とを備えている。プログラムは、装置１のハウジング内のデータ記憶装置２４内にあり、例えば、フラッシュメモリのような不揮発性メモリの一部分内にある。もちろん、例えば、ｅ−メール、カレンダー及びビデオゲームを含む他のアプリケーションも記憶装置２４内にある。ポータブルオーディオ装置１のユーザは、ディスプレイ２３（例えば、液晶ディスプレイパネル）に情報が目に見えるように提示され、そしてユーザ入力インターフェイス２２を経て対話したり情報をエンターしたりする。ユーザ入力インターフェイスは、物理的キーボード又はキーパッドに基づくものでもよいし、或いはディスプレイ２３を合体するタッチスクリーンを使用して具現化されるバーチャルキーボードでもよい。外部装置との通信は、通信回路２１を経て行われ、これは、セルラー地上無線アクセスネットワークトランシーバ及び基本帯域プロセッサのような移動電話ネットワーク通信回路、ワイヤレスローカルエリアネットワークインターフェイス、又はＢｌｕｅｔｏｏｔｈ（登録商標）適合インターフェイスのような短距離ＲＦインターフェイスを含む。これらの例において、通信回路２１は、例えば、ワイヤレスベースステーション又は他の外部ＲＦトランシーバから、典型的にダウンリンク信号と称されるものの一部分として、望ましいオーディオ信号を受信する。ダウンリンク信号は、電話又はビデオコール中の遠方端ユーザのスピーチを含む。コールは、電話アプリケーション２８によりプログラムされたように、プロセッサ２０により行われ又は管理される。或いは又、ダウンリンク信号は、デジタルメディアファイルプレーヤアプリケーション２７により行われ又は管理されるように、リモートファイルサーバーから送られる音楽又は他のオーディオを含む。
【００２０】
望ましいオーディオコンテンツは、データプロセッサ２０により（或いは又、セルラー電話装置の場合には基本帯域プロセッサのような別のプロセッサにより）、ボイスコイル及びテレコイルオーディオ信号プロセッサ１０、１１へ同時に（例えば、同期して）及びデジタル形態で与えられる。更に、プログラムされたデータプロセッサ２０は、可変ボリューム設定、及びあるケースでは、可変テレコイル強度設定をボイス及びテレコイル増幅器１４、１５へ供給する。後者は、デジタルオーディオドメインとアナログオーディオドメインとの間のインターフェイスとして働く集積回路であるオーディオコーデック２６において具現化される。このケースでは、オーディオコーデック２６は、テレコイル増幅器１５（図３を参照）を収容することにより、ＨＡＣ放射器７ともインターフェイスする。
【００２１】
図４には示されていないが、ボイスコイルオーディオ信号プロセッサ１０は、反ノイズ信号（図３を参照して上述したような）も発生する。反ノイズは、オーディオコーデック２６へ送られる前に、望ましいオーディオコンテンツとデジタルで合成される。オーディオコーデックは、ＤＡＣ１３及びテレコイル増幅器１５を備え、その出力ポートを通して、接続されたスピーカ５へ合成信号を送る。又、オーディオコーデック２６は、テレコム信号プロセッサ１０から（反ノイズのない）望ましいオーディオコンテンツを受信するための個別の入力ポートも備えている。（これもオーディオコーデック２６内で）この個別の入力ポートに結合されているのは、図３のＤＡＣ１２及びボイスコイル増幅器１４であり、これらは、個別の出力ポートを通してＨＡＣ放射器７を同時に駆動する。補聴器適合回路の他の具現化も考えられる。
【００２２】
図３に戻ると、ボイスコイルオーディオ信号プロセッサ１０及びテレコイルオーディオ信号プロセッサ１１は、移動ＲＦ通信基本帯域プロセッサチップの一部分として具現化される。或いは又、これらのオーディオ信号プロセッサ１０、１１の一方又は両方が、個別又は専用のデジタルオーディオ処理チップとして具現化されてもよい。更に別の態様として、（テレコイルプロセッサ１１の）テレコイルイコライゼーションブロックにより遂行されるオーディオ処理は、（例えば、電話アプリケーション２８の一部分であるプログラムコードに基づいて）データプロセッサ２０により個別に遂行されてもよい。それにより生じる処理された望ましいオーディオ信号は、もちろん、ボイスコイルオーディオ信号プロセッサ１０からの望ましいオーディオコンテンツと同期されて、オーディオコーデック２６に与えられる。
【００２３】
本発明の幾つかの実施形態を添付図面に示して説明したが、そのような実施形態は、広範囲な発明の単なる例示に過ぎず、それに限定されるものではなく、そして本発明は、当業者にとって他の種々の変更がなされるであろうから、図示して説明した特定の構成及び配列に限定されないことを理解されたい。例えば、図１及び２に示したポータブルオーディオ装置１は、スマートホンであるが、補聴器適合回路は、アクティブな／音響ノイズ打ち消しハンドセットにあってもよい。従って、以上の説明は、例示に過ぎず、それに限定されない。
【符号の説明】
【００２４】
１：ポータブルオーディオ装置
２：ユーザ
３：耳
４：マイクロホン
５：スピーカ
６：補聴器
７：ＨＡＣ放射器
８：Ｔコイル
１０：ボイスコイルオーディオ信号プロセッサ
１１：テレコイルオーディオ信号プロセッサ
１２、１３：デジタル／アナログコンバータ（ＤＡＣ）
１４、１５：電力増幅器
１６：オーディオ信号処理チェーン
１７：オーディオ信号処理チェーン
１８：基準マイクロホン
１９：アクティブなノイズ打ち消し
２０：エラーマイクロホン
２０：データプロセッサ
２１：通信回路
２２：ユーザ入力インターフェイス
２３：ディスプレイ
２４：記憶装置
２７：デジタルメディアファイルプレーヤ
２８：電話アプリケーション
【図１】
0005944342.tif 000002
【図２】
0005944342.tif 000003
【図３】
0005944342.tif 000004
【図４】
0005944342.tif 000005